(57)【要約】【課題】バッテリーの出力電圧が所定の設定電圧以下に低下し表示部への給電を停止し通信時間を延長する際、バッテリー電圧の上昇に起因するチャッタリング現象を防ぐ。【解決手段】バッテリー１７の出力電圧を監視し、バッテリーの出力電圧の低下をヒステリシス特性により検出するバッテリー電圧検出手段は、表示装置１６に対する給電遮断時におけるバッテリーの出力電圧の変動分および変動分のバラツキを含むバッテリーの出力電圧より高い高い第１のしきい値と、第１のしきい値より低い装置最低動作電圧である第３のしきい値と、第１のしきい値より低く前記第３のしきい値より高い第２のしきい値を有し、バッテリーの出力電圧が第２のしきい値未満で且つ第３のしきい値以上のとき表示装置に対する給電を遮断し、表示装置に対する給電遮断時における前記バッテリーの出力電圧が第１のしきい値を超えない限り表示部に対する給電の遮断を継続する。【選択図】      図１
2005184484.tif 000002
【特許請求の範囲】
【請求項１】
搭載したバッテリーの出力電圧が所定の電圧まで低下したとき表示装置に対する給電を遮断する携帯型電子装置において、前記バッテリーの出力電圧を監視し、前記バッテリーの出力電圧の低下をヒステリシス特性により検出するバッテリーの出力電圧検出手段を有することを特徴とする消費電力節減機能付き携帯型電子装置。
【請求項２】
搭載したバッテリーの出力電圧が所定の電圧まで低下したとき表示装置に対する給電を遮断する携帯型電子装置において、前記バッテリーの出力電圧を監視し、前記バッテリーの出力電圧の低下をヒステリシス特性により検出するバッテリーの出力電圧検出手段を備え、前記バッテリーの出力電圧検出手段は、前記表示装置に対する給電を遮断したときの前記バッテリーの出力電圧の変動分および前記バッテリーの出力電圧の変動分のバラツキを含むバッテリー出力電圧より高い第１のしきい値と、前記第１のしきい値より低い装置の最低動作電圧である第３のしきい値と、前記第１のしきい値より低く前記第３のしきい値より高い第２のしきい値を有し、前記バッテリーの出力電圧が前記第２のしきい値未満で且つ前記第３のしきい値以上のとき前記表示装置に対する給電を遮断し、前記表示装置に対する給電を遮断したときの前記バッテリーの出力電圧が前記第１のしきい値を超えない限り前記表示部に対する給電の遮断を継続することを特徴とする消費電力節減機能付き携帯型電子装置。
【請求項３】
前記バッテリーの出力電圧が前記第３のしきい値未満のとき通話機能に対する給電を遮断し、通信停止状態へ遷移することを特徴とする請求項２記載の消費電力節減機能付き携帯型電子装置。
【請求項４】
前記バッテリーの出力電圧検出手段は、一方の入力端子に前記バッテリーの出力電圧を入力し、他方の入力端子に前記第１のしきい値の電圧を入力する第１の差動増幅器と、一方の入力端子に前記バッテリーの出力電圧を入力し、他方の入力端子に前記第２のしきい値の電圧を入力する第２の差動増幅器と、前記第１の差動増幅器の出力をＫ端子に入力し、前記第２の差動増幅器の出力をＪ端子に入力し、出力端子Ｑから前記表示装置に対する給電を遮断するための第１の検出信号を出力するＪ−Ｋフリップフロップと、一方の入力端子に前記バッテリーの出力電圧を入力し、他方の入力端子に前記第３のしきい値の電圧を入力し前記通話機能に対する給電を遮断し待ち受け状態に遷移するための第２の検出信号を出力する第３の差動増幅器と、を有することを特徴とする請求項２記載の消費電力節減機能付き携帯型電子装置。
【請求項５】
搭載したバッテリーの出力電圧が所定の電圧まで低下したとき表示装置に対する給電を遮断する携帯型電子装置の消費電力節減方法において、前記バッテリーの出力電圧を監視し、前記バッテリーの出力電圧の低下をヒステリシス特性により検出することを特徴とする消費電力節減方法。
【請求項６】
搭載したバッテリーの出力電圧が所定電圧まで低下したとき表示装置に対する給電を遮断する携帯型電子装置の消費電力節減方法において、前記バッテリーの出力電圧を監視し、前記バッテリーの出力電圧の低下をヒステリシス特性により検出するバッテリー電圧検出手段が出力する検出信号を基に前記表示装置に対する給電を制御するマイクロコンピュータを含む制御部を備え、前記制御部は、電源オン状態を検出したとき、通信中か否かを判定し、判定結果が通話中でないとき待ち受け状態へ遷移し、通話中であるとき前記バッテリーの出力電圧の監視を前記バッテリー電圧検出手段へ指示する第１のステップと、前記バッテリー電圧検出手段は、前記バッテリーの出力電圧を監視し、前記バッテリーの出力電圧が予め設定した第１のしきい値未満で且つ第２のしきい値以上であるとき通話を継続すると共に前記表示装置に対する給電を継続する第２のステップと、引き続き前記バッテリーの出力電圧を監視し、前記バッテリーの出力電圧を前記第２のしきい値と比較して検出する第３のステップと、第３のステップにおける検出結果が前記第２のしきい値未満であるとき、および第２のステップにおける前記バッテリーの出力電圧が第２のしきい値未満であるとき前記バッテリーの出力電圧が低下した旨の第１の検出信号を出力する第４のステップと、前記制御部は、前記第１の検出信号を受け取ったとき前記通話を継続すると共に前記表示装置に対する給電を遮断する第５のステップと、前記バッテリー電圧検出手段は、第５のステップにおける前記表示装置に対する給電を遮断した後の前記バッテリーの出力電圧を監視し、前記表示装置に対する給電を遮断した後の前記バッテリーの出力電圧が前記第１のしきい値未満で且つ前記第２のしきい値以上であるとき前記通話を継続すると共に前記表示装置に対する給電の遮断を継続する第６のステップと、引き続き前記バッテリーの出力電圧を監視し、前記バッテリーの出力電圧を前記第３のしきい値と比較して検出する第７のステップと、第７のステップにおける検出結果が前記第３のしきい値未満であるとき、および第６のステップにおける前記バッテリーの出力電圧の検出結果が前記第２のしきい値未満であるとき前記バッテリーの出力電圧が装置の最低動作電圧である旨の第２の検出信号を出力する第８のステップと、前記制御部は、前記第２の検出信号を受け取ったとき前記通話を切断した後、通信機能に対する給電を遮断して通信停止状態へ遷移する第９のステップとを有することを特徴とする消費電力節減方法。
【請求項７】
前記第１のしきい値は、前記表示装置に対する給電を遮断したときの前記バッテリーの出力電圧の変動分および前記バッテリーの出力電圧の変動分のバラツキを含むバッテリー出力電圧より高い電圧であり、前記第２のしきい値は、前記第１のしきい値より低く前記第３のしきい値より高い電圧であり、前記第３のしきい値は、携帯型電子装置の最低動作電圧であることを特徴とする請求項６記載の消費電力節減方法。
【発明の詳細な説明】
【技術分野】
【０００１】
本発明はバッテリーを搭載した消費電力節減機能付き携帯型電子装置に関し、特にバッテリーの出力電圧が所定の電圧まで低下したとき、表示装置に対する給電を遮断してバッテリーの消費を節減し、基本機能である通話時間の延長制御に関する。
【背景技術】
【０００２】
バッテリーを搭載した携帯型電子装置は高機能化に伴い、消費電力が大きくなりバッテリーの消費が増えるため、バッテリーの保持時間は短縮される。
例えば、携帯電話装置の場合、カメラ機能の搭載や高機能化により、表示素子は高画素カラーＬＣＤが搭載されるため消費電力が大きくなり、満充電状態であっても１日使用できない状態が頻繁に発生している。そのため緊急時に使用できない場合も予想される。
一般に、この種の電子装置は、搭載されているバッテリーの出力電圧を監視し、バッテリー残量が予め設定した電圧まで低下したとき、表示あるいは鳴音によりユーザにバッテリーの電圧が低下した旨を報知している。
しかしながら、通信中にこのような警報が報知された場合、ユーザは通信の強制切断を予測し通信の終了を急がざるを得ない。従って、重要な通信や緊急な通信を中断しなければならない場合が予想される。
このようにバッテリーの出力電圧低下の警報が報知された場合でも、通信時間の延長することができる技術が、例えば特開平０９−１３０２８４号公報（バッテリー駆動型通信装置）に開示されている。
このバッテリー駆動型通信装置は、通信中にバッテリーの残りの容量を検出し、検出したバッテリーの残りの容量が予め設定した最低動作保証電圧値である第１のしきい値以上で且つ第１のしきい値より高い予め設定した通話保証電圧値である第２のしきい値以下に低下したとき、バッテリーの出力電圧が低下した旨のメッセージを送話音声信号に重畳して通信相手に送信する。
また、その送信と共に、このバッテリー駆動型通信装置は前述のメッセージを受話音声信号に重畳してスピーカにより拡声する。その後、表示部に対する給電を遮断し表示部のバックライトを消灯することによって、電力消費を抑制し使用時間を延長する。
その後、バッテリーの残りの容量が予め設定した第１のしきい値以下に低下したとき、無線チャネルを切断し終話処理を行い、待ち受け状態に復帰した後、信号送受信部への給電を遮断する。
このように、通知中のユーザはバッテリーの出力電圧が低下した旨のメッセージの報知により、通信が強制切断される前にバッテリーの出力電圧が残り少ないことを認識でき、且つ表示機能を停止し、使用時間が延長されるため、通話の中断を回避することができる。
【０００３】
【特許文献１】特開平０９−１３０２８４号公報（段落００３５、段落００３７〜段落００４０、図２）
【発明の開示】
【発明が解決しようとする課題】
【０００４】
上述した従来のバッテリー駆動型通信装置は、バッテリーの出力電圧が第１のしきい値以上で且つ第１のしきい値より高い第２のしきい値以下に低下したとき、表示部への給電を遮断するが、その場合、電源の負荷が軽くなるため、必然的にバッテリーの出力電圧が上昇する。バッテリーの出力電圧が上昇すると第２のしきい値を超えてしまい、表示部への給電が開始されることになる。
【０００５】
表示部への給電が開始されると途端に負荷が重くなって、バッテリーの出力電圧は再び第２のしきい値以下に低下し、表示部への給電が遮断されるというような、いわばチャタリング現象が発生する。従って、バッテリーの出力電圧の低下が急速に進行し使用時間の延長は不十分となる。
【０００６】
本発明の目的は、バッテリーの出力電圧が所定の設定電圧以下に低下したとき通信を維持し且つ表示部への給電を停止して通信時間を延長する際、表示部への給電停止によるバッテリー電圧の上昇に起因するチャッタリングを防ぎ通信時間を確実に延長できる消費電力節減機能付き携帯型電子装置と消費電力節減方法を提供することにある。
【課題を解決するための手段】
【０００７】
本発明の消費電力節減機能付き携帯型電子装置は、搭載したバッテリーの出力電圧が所定の電圧まで低下したとき表示装置に対する給電を遮断する携帯型電子装置において、前記バッテリーの出力電圧を監視し、前記バッテリーの出力電圧の低下をヒステリシス特性により検出するバッテリーの出力電圧検出手段を有することを特徴とする。
【０００８】
また、搭載したバッテリーの出力電圧が所定の電圧まで低下したとき表示装置に対する給電を遮断する携帯型電子装置において、前記バッテリーの出力電圧を監視し、前記バッテリーの出力電圧の低下をヒステリシス特性により検出するバッテリーの出力電圧検出手段を備え、前記バッテリーの出力電圧検出手段は、前記表示装置に対する給電を遮断したときの前記バッテリーの出力電圧の変動分および前記バッテリーの出力電圧の変動分のバラツキを含むバッテリー出力電圧より高い第１のしきい値と、前記第１のしきい値より低い装置の最低動作電圧である第３のしきい値と、前記第１のしきい値より低く前記第３のしきい値より高い第２のしきい値を有し、前記バッテリーの出力電圧が前記第２のしきい値未満で且つ前記第３のしきい値以上のとき前記表示装置に対する給電を遮断し、前記表示装置に対する給電を遮断したときの前記バッテリーの出力電圧が前記第１のしきい値を超えない限り前記表示部に対する給電の遮断を継続することを特徴とする。
【０００９】
また、前記バッテリーの出力電圧が前記第３のしきい値未満のとき通話機能に対する給電を遮断し、通信停止状態へ遷移することを特徴とする。
【００１０】
また、前記バッテリーの出力電圧検出手段は、一方の入力端子に前記バッテリーの出力電圧を入力し、他方の入力端子に前記第１のしきい値の電圧を入力する第１の差動増幅器と、一方の入力端子に前記バッテリーの出力電圧を入力し、他方の入力端子に前記第２のしきい値の電圧を入力する第２の差動増幅器と、前記第１の差動増幅器の出力をＫ端子に入力し、前記第２の差動増幅器の出力をＪ端子に入力し、出力端子Ｑから前記表示装置に対する給電を遮断するための第１の検出信号を出力するＪ−Ｋフリップフロップと、一方の入力端子に前記バッテリーの出力電圧を入力し、他方の入力端子に前記第３のしきい値の電圧を入力し前記通話機能に対する給電を遮断し待ち受け状態に遷移するための第２の検出信号を出力する第３の差動増幅器と、を有することを特徴とする。
【００１１】
本発明の消費電力節減方法は、搭載したバッテリーの出力電圧が所定の電圧まで低下したとき表示装置に対する給電を遮断する携帯型電子装置の消費電力節減方法において、前記バッテリーの出力電圧を監視し、前記バッテリーの出力電圧の低下をヒステリシス特性により検出することを特徴とする。
【００１２】
また、搭載したバッテリーの出力電圧が所定電圧まで低下したとき表示装置に対する給電を遮断する携帯型電子装置の消費電力節減方法において、前記バッテリーの出力電圧を監視し、前記バッテリーの出力電圧の低下をヒステリシス特性により検出するバッテリー電圧検出手段が出力する検出信号を基に前記表示装置に対する給電を制御するマイクロコンピュータを含む制御部を備え、前記制御部は、電源オン状態を検出したとき、通信中か否かを判定し、判定結果が通話中でないとき待ち受け状態へ遷移し、通話中であるとき前記バッテリーの出力電圧の監視を前記バッテリー電圧検出手段へ指示する第１のステップと、前記バッテリー電圧検出手段は、前記バッテリーの出力電圧を監視し、前記バッテリーの出力電圧が予め設定した第１のしきい値未満で且つ第２のしきい値以上であるとき通話を継続すると共に前記表示装置に対する給電を継続する第２のステップと、引き続き前記バッテリーの出力電圧を監視し、前記バッテリーの出力電圧を前記第２のしきい値と比較して検出する第３のステップと、第３のステップにおける検出結果が前記第２のしきい値未満であるとき、および第２のステップにおける前記バッテリーの出力電圧が第２のしきい値未満であるとき前記バッテリーの出力電圧が低下した旨の第１の検出信号を出力する第４のステップと、前記制御部は、前記第１の検出信号を受け取ったとき前記通話を継続すると共に前記表示装置に対する給電を遮断する第５のステップと、前記バッテリー電圧検出手段は、第５のステップにおける前記表示装置に対する給電を遮断した後の前記バッテリーの出力電圧を監視し、前記表示装置に対する給電を遮断した後の前記バッテリーの出力電圧が前記第１のしきい値未満で且つ前記第２のしきい値以上であるとき前記通話を継続すると共に前記表示装置に対する給電の遮断を継続する第６のステップと、引き続き前記バッテリーの出力電圧を監視し、前記バッテリーの出力電圧を前記第３のしきい値と比較して検出する第７のステップと、第７のステップにおける検出結果が前記第３のしきい値未満であるとき、および第６のステップにおける前記バッテリーの出力電圧の検出結果が前記第２のしきい値未満であるとき前記バッテリーの出力電圧が装置の最低動作電圧である旨の第２の検出信号を出力する第８のステップと、前記制御部は、前記第２の検出信号を受け取ったとき前記通話を切断した後、通信機能に対する給電を遮断して通信停止状態へ遷移する第９のステップと、を有することを特徴とする。
【００１３】
また、前記第１のしきい値は、前記表示装置に対する給電を遮断したときの前記バッテリーの出力電圧の変動分および前記バッテリーの出力電圧の変動分のバラツキを含むバッテリー出力電圧より高い電圧であり、前記第２のしきい値は、前記第１のしきい値より低く前記第３のしきい値より高い電圧であり、前記第３のしきい値は、携帯型電子装置の最低動作電圧であることを特徴とする。
【発明の効果】
【００１４】
以上説明したように本発明によれば、バッテリーの出力電圧を検出する際、ヒステリシス特性によりバッテリーの出力電圧の低下を検出するので、表示装置に対する給電遮断時におけるバッテリーの出力電圧の変動に起因する表示装置の再起動を防止することができるという効果を得ることができる。
そのため、通話時にはあまり必要としない表示装置の動作を確実に停止することができ、その分通話可能な時間を延ばすことができる。
【発明を実施するための最良の形態】
【００１５】
本発明の実施の形態について説明する。
図1は本発明の携帯電話装置の主要構成を示す構成図、図２はバッテリー電圧検出部の一例を示す回路構成図、図３は電圧検出回路の各部動作の状態遷移を示す図、図４はバッテリーの出力電圧低下時にける携帯電話装置の動作を説明するタイミングチャート、図５はバッテリー検出処理のフローチャートである。
【００１６】
最初に本発明の携帯電話装置の構成について説明する。
図１を参照すると、携帯電話装置１０は、基地局と無線電波を送受信するアンテナを含む無線部１１と、ベースバンド信号処理部１２と、マイクロホン１３、スピーカ１４と、操作部１５と、表示部１６と、バッテリー１７と、制御部１８と、スイッチ１９−１および１９−２と、バッテリー電圧検出部２０とから構成している。
【００１７】
バッテリー１７は、制御部１８へ給電すると共にスイッチ１９−１を介して表示部１６へバッテリーの出力電圧を給電している。またバッテリー１７は、スイッチ１９−２を介して無線部１１およびベースバンド信号処理部１２にもバッテリーの出力電圧を給電している。
【００１８】
バッテリー電圧検出部２０は、誤検出防止のためにヒステリシス特性を有し、バッテリー１７の出力電圧を監視し、バッテリー１７の出力電圧が所定の電圧Ｅ１未満に低下したとき、その旨を示す第１の検出信号Ｓ１を制御部１８へ出力する。
【００１９】
制御部１８は、バッテリー電圧検出部２０から第１の検出信号Ｓ１を受け取ると、第１の給電制御信号Ｓ３を出力してスイッチ１９−１を制御し、表示部１６へのバッテリーの出力電圧の給電を遮断する。
【００２０】
制御部１８は、バッテリー電圧検出部が出力する検出信号を基に表示装置に対する給電を制御するマイクロコンピュータを含む。
【００２１】
また、バッテリー電圧検出部２０は、バッテリーの出力電圧が装置の最低動作電圧Ｅ０まで低下したとき、その旨を示す第２の検出信号Ｓ２を制御部１８へ出力する。
【００２２】
制御部１８は、第２の検出信号Ｓ２を受け取ると、第２の給電制御信をＳ４を出力してスイッチ１９−２を制御し、無線部１１およびベースバンド信号処理部１２へのバッテリーの出力電圧の給電を遮断する。
【００２３】
無線部１１、ベースバンド信号処理部１２、マイクロホン１３、スピーカ１４、操作部１５は、既存の携帯電話装置と同様であるため説明を省略する。
【００２４】
次にバッテリー電圧検出回路について図２を参照して説明する。
バッテリー電圧検出回路２０は、第１のしきい値Ｅ３とバッテリーの出力電圧とを比較する差動増幅器２１と、第２のしきい値Ｅ１とバッテリーの出力電圧とを比較する差動増幅器２２と、第３のしきい値Ｅ０とバッテリーの出力電圧とを比較する差動増幅器２３と、Ｊ−Ｋフリップフロップ２４とから構成している。
【００２５】
差動増幅器２１は、一方の入力端子（＋端子）にバッテリーの出力電圧を接続し、他方の入力端子（−端子）に第１のしきい値である電圧Ｅ３を接続し、出力端子はＪ−Ｋフリップフロップ２４の入力端子Ｋと接続している。
【００２６】
差動増幅器２２は、一方の入力端子（−端子）にバッテリーの出力電圧を接続し、他方の入力端子（＋端子）に第２のしきい値である電圧Ｅ１を接続し、出力端子はＪ−Ｋフリップフロップ２４の入力端子Jと接続している。
【００２７】
Ｊ−Ｋフリップフロップ２４の出力端子Ｑは、制御部１８（図１）と接続し第１の検出信号Ｓ1を出力する。
【００２８】
差動増幅器２３は、一方の入力端子（−端子）にバッテリーの出力電圧を接続し、他方の入力端子（＋端子）に第３のしきい値である電圧Ｅ０を接続し、出力端子は制御部１８（図１）と接続し第２の検出信号Ｓ２を出力する。
【００２９】
第３のしきい値である電圧Ｅ０は、無線部１１およびベースバンド信号処理部１２が動作不能になる直前の電圧である。すなわち、無線部１１およびベースバンド信号処理部１２の最低動作電圧である。
【００３０】
第２のしきい値である電圧Ｅ１は、第３のしきい値である最低動作電圧Ｅ０に対し、所定電圧α（Ｖ）高い動作可能電圧である。
【００３１】
第１のしきい値である電圧Ｅ３は、第２のしきい値である動作可能電圧Ｅ１に対し、表示装置１６への給電遮断時の負荷軽減によるバッテリーの出力電圧の上昇分β（Ｖ）の電圧を加算した電圧Ｅ２と、バッテリーの出力電圧の上昇分β（Ｖ）に対するバラツキに対する余裕分の電圧γ（Ｖ）を加算した電圧である。
すなわち、第１のしきい値Ｅ３、表示部１６への給電遮断時の負荷軽減によるバッテリーの出力電圧の上昇分を加算した電圧Ｅ２、第２のしきい値Ｅ１、第３のしきい値Ｅ０は、Ｅ３＞Ｅ２＞Ｅ１＞Ｅ０の関係にある。
【００３２】
次に図２に図３、図４を併せて参照し、バッテリー電圧検出回路の動作について説明する。
【００３３】
通話中のバッテリーの出力電圧が図４に示すように第１のしきい値Ｅ３より高い状態Ａにおいては、差動増幅器２１は論理「１」を出力し、Ｊ−Ｋフリップフロップ２４のＫ端子へ入力する。このとき差動増幅器２２は論理「０」を出力し、Ｊ−Ｋフリップフロップ２４のＪ端子へ入力する。
【００３４】
従って、Ｊ−Ｋフリップフロップ２４のＱ端子は論理「０」を出力する。すなわち論理「１」の第１の検出信号Ｓ１は出力しない。その結果、制御部１８は、第１の給電制御信号Ｓ３を発生せず、スイッチ１９−１のオン状態を維持し、表示部１６にはバッテリー１７から出力電圧がスイッチ１９−１を介して継続して給電される。
【００３５】
バッテリーの出力電圧が第１のしきい値Ｅ３未満で且つ第２のしきい値Ｅ１以上の範囲まで低下した状態Ｂにおいては、差動増幅器２１の出力は論理「０」に反転し、Ｊ−Ｋフリップフロップ２４のＫ端子へ入力する。このとき差動増幅器２２の出力は、論理「０」を継続して出力し、Ｊ−Ｋフリップフロップ２４のＪ端子へ入力する。
【００３６】
従って、Ｊ−Ｋフリップフロップ２４のＱ端子は論理「０」を出力し、第１の検出信号Ｓ１は出力せず、表示部１６にはバッテリー１７から出力電圧がスイッチ１９−１を介して継続して給電される。
【００３７】
バッテリーの出力電圧が更に、第２のしきい値Ｅ１未満に低下した状態Ｃにおいては、差動増幅器２１は継続して論理「０」を出力し、Ｊ−Ｋフリップフロップ２４のＫ端子へ入力する。このとき差動増幅器２２の出力は論理「１」に反転し、Ｊ−Ｋフリップフロップ２４のＪ端子へ入力する。
【００３８】
従って、Ｊ−Ｋフリップフロップ２４のＱ端子の出力は論理「１」に反転し、第１の検出信号Ｓ１として制御部１８へ出力する。制御部１８は、バッテリーの出力電圧検出部２０から第１の検出信号Ｓ１を受け取ると、第１の給電制御信号Ｓ３をスイッチ１９−１へ出力して、表示部１６にバッテリー１７からスイッチ１９−１を介して給電していたバッテリーの出力電圧を遮断する。
【００３９】
表示部１６への給電が遮断された後の状態Ｄにおいては、表示部１６が消費する電力がなくなり、バッテリー１７に対する負荷が軽減されるため、バッテリー電圧はＥ２まで上昇するが、第１のしきい値である電圧Ｅ３までは上昇しない。
【００４０】
そのため、差動増幅器２１は継続して論理「０」を出力し、Ｊ−Ｋフリップフロップ２４のＫ端子へ入力する。このとき差動増幅器２２の出力は論理「０」に反転し、Ｊ−Ｋフリップフロップ２４のＪ端子へ入力する。
【００４１】
従って、Ｊ−Ｋフリップフロップ２４のＱ端子は継続して論理「１」を出力し、第１の検出信号Ｓ１として制御部１８へ出力する。
【００４２】
すなわち、表示部１６に対するバッテリー給電の遮断時に発生するバッテリーの出力電圧の上昇分およびバラツキを見込んで第１しきい値Ｅ３を設定することにより、チャッタリングを防止することができる。
【００４３】
また、表示部１６への給電を遮断することにより表示部１６の消費電力分の負荷が軽減されるので、その分通話時間が延長することになる。表示部１６の動作が停止しても通話状態には支障がない。
【００４４】
表示部１６に対するバッテリー給電の遮断時に発生したバッテリーの出力電圧の上昇分が第３のしきい値の電圧Ｅ０以下に低下した状態Ｅにおいては、差動増幅器２３が論理「１」を出力し、第２の検出信号Ｓ２として制御部１８へ出力する。
【００４５】
制御部１８は、バッテリー電圧検出部２０から第２の検出信号Ｓ２を受け取ると、第２の給電制御信号Ｓ４をスイッチ１９−２へ出力して、無線部１１とベースバンド信号処理部１２にバッテリー１７からスイッチ１９−２を介して給電していたバッテリーの出力電圧を遮断する。これにより、通話は切断され携帯電話装置１０は、通信停止状態へ遷移することになる。
【００４６】
次に図５に図１、図４を併せて参照しバッテリー電圧の検出処理について説明する。
ユーザが所定の操作により携帯電話装置１０を起動し電源がオンすると（図５のステップＳ１０１）、表示部１６が点灯する（Ｓ１０２）。
【００４７】
制御部１８は、電源オン状態を検出すると、通話中か否かを判定する（Ｓ１０３）。ステップ１０３における判定結果が通話中で無い場合にはステップＳ１１７へ移行し待ち受け状態になる。
【００４８】
ステップＳ１０３における判定結果が通話中である場合は、バッテリーの出力電圧を監視する（Ｓ１０４）。
【００４９】
バッテリー電圧検出部２０には、予め第１のしきい値Ｅ３、第２のしきい値Ｅ１、および第３のしきい値Ｅ０が設定されている。
【００５０】
バッテリー電圧検出部２０は、バッテリーの出力電圧を第１のしきい値Ｅ３および第２のしきい値Ｅ１とそれぞれ比較し、バッテリーの出力電圧の低下が第１のしきい値Ｅ３未満で且つ第２のしきい値Ｅ１以上の範囲内であるかを判定する（Ｓ１０５）。
【００５１】
ステップＳ１０５における判定結果が第１のしきい値Ｅ３未満で且つ第２のしきい値Ｅ１以上である場合は、バッテリーの出力電圧は正常である旨を判断して制御部１８へ第１の検出信号Ｓ１を出力しない。従って、制御部１８は、通話および表示部１６の点灯を継続する（Ｓ１０６）。
【００５２】
バッテリー電圧検出部２０は、引き続きバッテリーの出力電圧の監視を継続し、第２のしきい値Ｅ１とバッテリーの出力電圧を比較し、バッテリーの出力電圧が第２のしきい値Ｅ１未満に低下したか否かを判定する（Ｓ１０７）。
【００５３】
ステップＳ１０７における判定結果が、バッテリーの出力電圧が第２のしきい値Ｅ１未満である場合は、バッテリーの出力電圧が残り少ない旨の検出信号である第１の検出信号を制御部１８へ出力する（Ｓ１０８）。
【００５４】
制御部１８は、バッテリー電圧検出部２０からバッテリーの出力電圧が残り少ない旨の第１の検出信号を受け取ると、第１の給電制御信号Ｓ３を出力してスイッチＳ１９−１を制御して、表示部１６へのバッテリーの出力電圧の給電を遮断する（Ｓ１０９）。このときは通話状態を継続する。
【００５５】
ステップＳ１０９において表示部１６へのバッテリーの出力電圧の給電が停止すると、バッテリー１７に対する負荷が軽減するため、第２のしきい値Ｅ１以上にバッテリーの出力電圧が上昇する（Ｓ１１０）。すなわち、図４に示すようにバッテリーの出力電圧はＥ２まで上昇する。
【００５６】
バッテリー電圧検出部２０は、この上昇したバッテリーの出力電圧Ｅ２を第２のしきい値Ｅ１および第１のしきい値Ｅ３とそれぞれ比較し、上昇したバッテリーの出力電圧Ｅ２が第１のしきい値Ｅ３未満で且つ第２のしきい値Ｅ１以上の範囲内であるかを判定する（Ｓ１１１）。
【００５７】
ステップＳ１１１における判定結果が、バッテリーの出力電圧が第１のしきい値Ｅ３未満で且つ第２のしきい値Ｅ１以上の範囲内である場合は、バッテリーの出力電圧が低下した旨の第１の検出信号を継続して制御部１６へ出力する。
【００５８】
制御部１８は、バッテリー電圧検出部２０からバッテリーの出力電圧が低下した旨の第１の検出信号Ｓ２を受け取り、第１の給電制御信号Ｓ３により表示部１６へのバッテリー給電の遮断を継続する（Ｓ１１２）。このとき、通話状態は継続している。
【００５９】
従来は、第２のしきい値Ｅ１によりバッテリーの出力電圧の検出を行っていたため、表示部１６へのバッテリーの出力電圧の給電停止に伴うバッテリーの出力電圧の上昇を検出してしまい、結果としてチャッタリング現象が発生していた。
【００６０】
その後も通話状態が継続しているためバッテリーの出力電圧は更に低下する。バッテリー電圧検出部２０は、バッテリーの出力電圧の監視を継続し、バッテリーの出力電圧を第３のしきい値Ｅ０と比較する（Ｓ１１３）。
【００６１】
ステップＳ１１３における判定結果が、バッテリーの出力電圧が第３のしきい値Ｅ０未満の場合は、バッテリーの出力電圧が装置の最低動作電圧以下に低下した旨の第２の検出信号Ｓ２を制御部１８へ出力する（Ｓ１１４）。
【００６２】
制御部１８は、バッテリーの出力電圧が最低動作電圧以下に低下した旨の第２の検出信号Ｓ２を受け取ると、第２の給電制御信号Ｓ４をスイッチ１９−２へ送出し、無線部１１およびベースバンド信号処理部１２へのバッテリーの出力電圧の給電を遮断する（Ｓ１１５）。
【００６３】
制御部１８は、無線部１１およびベースバンド信号処理部１２へのバッテリーの出力電圧の給電を遮断した後、通話を切断し（Ｓ１１６）、通信停止状態へ遷移する（Ｓ１１８）。
【図面の簡単な説明】
【００６４】
【図１】本発明の携帯電話装置の主要構成を示す構成図である。
【図２】本発明のバッテリー電圧検出部の一例を示す回路構成図である。
【図３】本発明の電圧検出回路の各部動作の状態遷移を示す図である。
【図４】本発明のバッテリーの出力電圧低下時にける携帯電話装置の動作を説明するタイミングチャートである。
【図５】本発明のバッテリー検出処理のフローチャートである。
【符号の説明】
【００６５】
１０    携帯電話装置
１１    無線部
１２    ベースバンド信号処理部
１３    マイクロホン
１４    スピーカ
１５    操作部
１６    表示部
１７    バッテリー
１８    制御部
１９−１    スイッチ
１９−２    スイッチ
２０    バッテリーの出力電圧検出部
２１    差動増幅器
２２    差動増幅器
２３    差動増幅器
２４    Ｊ−Ｋフリップフロップ
【図１】
2005184484.tif 000003
【図２】
2005184484.tif 000004
【図３】
2005184484.tif 000005
【図４】
2005184484.tif 000006
【図５】
2005184484.tif 000007